【事件の表示】
　特願２００８−８７４９「液晶表示装置のビデオデータ修正装置および方法」拒絶査定不服審判事件〔平成２０年７月３１日出願公開、特開２００８−１７６３２９〕について、次のとおり審決する。
【結　論】
　本件審判の請求は、成り立たない。
【理　由】
第１　手続の経緯
　この審判事件に関する出願（以下、「本願」という。）は、２０００年（平成１２年）６月２８日に大韓民国でされた特許出願に基づくパリ条約の優先権を主張して平成１３年６月２８日にされた特許出願（特願２００１−１９７５５３）の一部を、平成２０年１月１８日に新たな特許出願としたものである。そして、平成２３年７月５日付け手続補正書により特許請求の範囲についての補正がされ、平成２４年２月２４日付けで拒絶査定がされ、同年３月２７日に査定の謄本が送達された。
　これに対して、同年７月２４日に拒絶査定不服審判が請求され、同時に特許請求の範囲についての補正（以下、「本件補正」という。）がされた。その後、当審の同年１２月１３日付け審尋に対し、平成２５年５月１５日付け回答書が提出された。
　
第２　本件補正の却下の決定
［結論］
　本件補正を却下する。
　
［理由］
１．本件補正の内容
　本件補正は、本件補正前（平成２３年７月５日付け手続補正書による補正の後をいう。以下同じ。）の特許請求の範囲の請求項１を以下のように補正することを含む。なお、下線は、請求人が付したものであり、補正箇所を示す。
　
（本件補正前）
「【請求項１】
　データラインとゲートラインの交差部に液晶画素が配置される液晶パネルを具備する液晶表示装置の駆動装置において、
　入力される赤色、緑色及び青色のデジタルデータの色温度の特性を修正するための色温度の修正データが前記入力される赤色、緑色及び青色のデジタルデータのグレーレベル値に対応して設定されるルックアップテーブルが格納されたメモリ手段と、
　前記入力される赤色、緑色及び青色のデジタルデータのグレーレベル値に対応する前記メモリ手段のルックアップテーブルをアクセスして前記入力される赤色、緑色及び青色のデジタルデータのグレーレベル値に対応する色温度修正のデータを取り出すためのメモリ制御手段と、
　前記メモリ制御手段からの色温度の修正データを利用して前記データラインを駆動するためのデータ駆動手段とを具備し、
　前記入力される赤色デジタルデータの色温度の修正データは前記入力される赤色データに比べて輝度値が増加して、前記入力される青色デジタルデータの色温度の修正データは前記入力される青色データに比べて輝度値が減少することを特徴とする液晶表示装置のビデオデータ修正装置。」
　
（本件補正後）
「【請求項１】
　データラインとゲートラインの交差部に液晶画素が配置される液晶パネルを具備する液晶表示装置の駆動装置において、
　入力される赤色、緑色及び青色のデジタルデータの色温度の特性を修正するための色温度の修正データが前記入力される赤色、緑色及び青色のデジタルデータのグレーレベル値に対応して設定されるルックアップテーブルが格納されたメモリ手段と、
　前記入力される赤色、緑色及び青色のデジタルデータのグレーレベル値に対応する前記メモリ手段のルックアップテーブルをアクセスして前記入力される赤色、緑色及び青色のデジタルデータのグレーレベル値に対応する色温度修正のデータを取り出すためのメモリ制御手段と、
　前記メモリ制御手段からの色温度の修正データを利用して前記データラインを駆動するためのデータ駆動手段とを具備し、
　前記入力される赤色デジタルデータの色温度の修正データは前記入力される赤色データに比べて輝度値が増加して、前記入力される青色デジタルデータの色温度の修正データは前記入力される青色データに比べて輝度値が減少
し、
　
前記色温度の修正データは前記液晶表示装置の表示映像の色温度が凡そ６５００Ｋを維持するように入力映像を調整した後に測定されるデータである
　
　本件補正は、「色温度の修正データ」を「前記液晶表示装置の表示映像の色温度が凡そ６５００Ｋを維持するように入力映像を調整した後に測定されるデータ」に限定するものであるから、いわゆる特許請求の範囲の限定的減縮を目的とするものに該当する。
　そこで、本件補正後の請求項１に係る発明（以下、「本件補正発明」という。）が特許出願の際独立して特許を受けることができるものであるかについて以下に検討する。
　
２．刊行物に記載された事項
　以下に掲げる刊行物１から３までは、いずれも本願の優先日前に日本国内又は外国において頒布された刊行物である。
　
　　刊行物１：特開平９−３１９３３４号公報
　　刊行物２：特開平１１−２９６１２７号公報
　　刊行物３：特開２０００−６６１６６号公報
　　　　　　　（公開日：平成１２年３月３日）
　
（１）刊行物１
ア．刊行物１の記載
　刊行物１には、以下の記載がある。
　
（ア）段落０００１
「【０００１】
【発明の属する技術分野】本願発明はＴＦＴ液晶デイスプレイにおける駆動方式及び新規な制御構造に係わるものである。本願発明は特に中間調表示の際の色毎の遷移を有効に防止したＴＦＴＬＣＤの駆動方式及び新規な制御構造に係わるものである。」
　
（イ）段落０００３から０００５まで
「【０００３】現在用いられているＬＣＤの方式のほとんどはアクティブ・マトリクス方式である。アクティブ・マトリクス方式とは画素毎に駆動のための回路素子を組み込んで、その表示特性を大幅に向上させたものをいう。そして、アクティブマトリクス方式のＬＣＤのうちスイッチング素子として薄膜３端子トランジスタを用いたものをＴＦＴ…（略）…方式と呼ぶ。そして、ＴＦＴをスイッチング素子として用いたＬＣＤのことをＴＦＴ液晶デイスプレイ（以下、ＴＦＴＬＣＤという）という。
　【０００４】ＴＦＴＬＣＤに所望の画像を表示させるためには、画像を構成する階調データをＬＣＤに対して与え、それに応じて、ＬＣＤを駆動する必要がある。図１にＴＦＴＬＣＤの制御部の構成を示す。液晶表示を行う部分はアレイ及びセルからなる部分１である。この部分の構成については当業者に周知である。アレイ／セル部分１はＸドライバ３及びＹドライバ５に接続されている。Ｘドライバ３は階調データを供給されて、その階調に応じた電圧をセルに対して印加する機能を有している。一方、Ｙドライバ５はスイッチング素子のゲートに接続されており、一定のタイミングでＸドライバ３によってセルに印加された電圧を導通／非導通する。
　【０００５】Ｘドライバ３に対して階調データがデータ制御部１０によって供給される。データ制御部１０は外部から供給されたＲ／Ｇ／Ｂデータをラッチしてバッファにストアするデータ制御回路１２と、バッファにストアされた階調データを所定のタイミングでＸドライバ３に出力するタイミング制御回路１４とから構成されている。なお、クロック信号が外部からデータ制御回路１２とタイミング制御回路１４に供給され、所定のタイミングを与える。Ｘドライバ３、Ｙドライバ５、及び、データ制御部１０には電源７が接続されている。」
　
（ウ）段落０００６及び０００７
「【０００６】ところで、このような構成によってＬＣＤ上に画面を表示させるときには、各色の画素毎に階調に応じた電圧を印加する必要がある。つまり、画素の駆動は単純なオン・オフ制御ではなく、いくつかのレベル（階調）に区分された電圧を印加してその画素の透過率を調整し、複雑な中間色を表示することが可能となるのである。このような制御を実現するために、Ｒ／Ｇ／Ｂそれぞれの信号レベルを調節して各画素に供給する。例えば、６４階調の白黒の表示をする場合には、６４段階の電圧レベルを設定し、それぞれの階調データに応じて各画素の電圧の印加を行う。そして、理想的にはある階調に対応する電圧を付与した場合には、Ｒ／Ｇ／Ｂ全ての色で同一の透過率が実現できることが理想である。このときの関係を図２に示す。図２は縦軸を透過率、横軸を印加電圧としてプロットしたものである。ここで、印加電圧は階調によって決定される。従って、ある階調ｎを選んだときに、印加電圧Ｖｎはその階調に応じて決定される。そして、図２の関係に従って、その階調Ｖｎにおける透過率Ｔｎが実現される。この、階調と印加電圧と透過率との関係はＲ／Ｇ／Ｂ全てにおいて同一であることが理想とされる。
　【０００７】しかし、現実は色によって階調と実現される透過率とは微妙なずれを有する。この原因はツイストネマテイック液晶の特定のねじれ（階調及び印加電圧と一義的に対応する）に対する、光の変調の度合いが波長によって若干異なるからである。つまり、同じようにねじれた状態の液晶層を通過しても、これによって通過光が受ける変調の度合いに波長依存性があるので、与えられた一つの階調に対して色によって輝度のばらつきが生じるのである。この現象を図３に示す。図３に示すとおり、印加電圧の広い範囲で青（Ｂ）の透過率が赤（Ｒ）、緑（Ｇ）の透過率を上回っている。つまり、各色において階調と印加電圧との関係は一義的に定まるものであるから、中間色の表示においては同一の階調を各色で選び、同一の印加電圧を印加したとしても、青（Ｂ）の透過率のみが上にシフトする。このように、透過率と印加電圧の相関関係（以下、透過率／印加電圧特性という）の依存性には色（波長）依存性がある。そして、これをなんら補正することなく表示を行えば、中間調において実際の色調よりも青に遷移し、画面全体が青みがかってしまう。この状態を色度図に表したものが図４に示される。図４は理想状態が実現できれば白色の状態においてＬ６３となるはずであるものの、実際は、透過率／印加電圧特性の波長依存性により、Ｌ０、つまり、青の方にシフトしている状態を示す。」
　
（エ）段落００１２
「【００１２】
【発明が解決しようとする課題】本願発明の第一の目的は、透過率／印加電圧特性の色毎の依存性を有効に補正するＴＦＴＬＣＤの駆動方式を提供するものである。本願発明の第二の目的は、有効な補正を極めて単純な方式によって実現することである。これによって、本願発明においては制御方式の複雑化、回路の付加による実装上の制約等の問題点を回避しつつ、上記補正を可能ならしめることを目的とする。」
　
（オ）段落００１４から００２０まで
「【００１４】
【発明の実施の形態】本願発明は具体的には図１に示されたデータ制御部１０を改良することによって実現することができる。本願発明によるデータ制御部の構成を図５に示す。従来技術ではデータ制御部はラッチ及びバッファのみで構成されている。しかし、本願発明においては修正を加えようとする色に係わる階調データを一旦演算回路に入力し、階調を加減算して階調を数段階シフトさせることによって、修正の対象とはならない他の色と同等の透過率を実現するものである。
　【００１５】図５では補正の対象となる色を青（Ｂ）としており、補正の対象とならない色を赤（Ｒ）、緑（Ｇ）としている。Ｒ，Ｇに係わる階調データは図５中Ｒ０〜Ｒ５またはＧ０〜Ｇ５で示される。
　【００１６】Ｒ，Ｇに係わる階調データが入力される部分２０はデータラッチ回路２２とバッファ回路２６を含み、この点は従来技術におけるデータ制御部と同様である。但し、従来技術におけるデータ制御部と異なり、デイレイ回路２４を含んでいる。これは、Ｂに係わる階調データＢ０〜Ｂ５が後述するように演算回路、条件判定テーブルによって操作される時間を補償し、Ｂに係わる修正された階調データと同一のタイミングでドライバに対する出力を行うためである。
　【００１７】Ｂに係わる階調データＢ０〜Ｂ５は実施例によれば６４段階の階調を示すためのビット列である。つまり、（Ｂ０，Ｂ１，Ｂ２，Ｂ３，Ｂ４，Ｂ５）というビットから構成され、例えば、（Ｂ０，Ｂ１，Ｂ２，Ｂ３，Ｂ４，Ｂ５）＝（００１０００）であれば階調は「４」となり、（Ｂ０，Ｂ１，Ｂ２，Ｂ３，Ｂ４，Ｂ５）＝（００１１１０）であれば階調は「２８」となる。なお、この点は、Ｒ，Ｇに係わる階調データであるＲ０〜Ｒ５またはＧ０〜Ｇ５も同様である。
　【００１８】Ｂに係わる階調データＢ０〜Ｂ５が入力される部分３０について詳細な説明を加える。この部分によって、Ｂに係わる階調データの階調の補正がなされる。つまり、Ｂに係わる階調データはまず演算回路３２に供給される。演算回路３２においてはＲ，Ｇに係わる階調データとの比較に応じて、階調が例えば０乃至４レベル低くなるように減算される。このように階調自体を補正することによって、Ｒ，Ｇに係わる階調データによって実現される階調に係わる透過率と整合を行う。
　【００１９】また、Ｂに係わる階調データは同時に条件判定テーブル３３にも供給される。条件判定テーブル３３は階調に応じて加減量を調整するための条件を判定する。条件判定テーブル３３の模式図を図６に示す。このように、条件判定テーブル３３には階調に対応づけられて条件が設定されている。階調に対応した条件は条件判定テーブル３３から加減算テーブル３４に出力される。加減算テーブル３４は実際の加減量を設定する機能を有する。加減算テーブル３４の模式図を図７に示す。つまり、条件判定テーブル３３から出力された条件に応じて、加減量が設定される。補正すべき階調の量である加減量は演算回路３２に供給される。
　【００２０】このように補正すべき階調の量が入力されるＢに係わる階調によって異なることを考慮して、条件判定テーブル３３、加減算テーブル３４が設けられている。条件判定テーブル３３、加減算テーブル３４は模式的に表したが、例えば、ソフトウエアによって実現することができる。」
　
（カ）段落００２２から００２４まで
「【００２２】Ｂに係わる階調データが入力される回路３０及びＲ，Ｇに係わる階調データが入力される回路２０の実際の動作を説明する。例えば、階調「２」、つまり、（Ｂ０，Ｂ１，Ｂ２，Ｂ３，Ｂ４，Ｂ５）＝（０１００００）が入力されたときは、まず、その入力が条件判定テーブル３３によって判定される。図６に示すように、条件判定テーブル３３においては条件Ａが加減算テーブル３４に出力され、その後、図７に示すように加減算テーブル３４においては加減量として「０」が演算回路に出力される。従って、階調「２」はなんら補正を受けることなく、バッファ回路３６を介してＸドライバに供給される。この処理によって、一定の遅延が生じる。従って、Ｂに係わる階調「２」に対応するＲ及びＧに係わる階調データはその遅延分デイレイ回路２４によって遅延を受ける。その結果、Ｂに係わる階調データがバッファ回路３６からＸドライバに対して出力されるタイミングと、Ｒ，Ｇに係わる階調データがバッファ回路２６からＸドライバに対して出力されるタイミングは同時になる。
　【００２３】同様に、Ｂに係わる階調データが「２０」、つまり、（Ｂ０，Ｂ１，Ｂ２，Ｂ３，Ｂ４，Ｂ５）＝（００１０１０）だった場合について説明する。この場合、図６に示すように、条件判定テーブル３３においては条件Ｃが加減算テーブル３４に出力され、その後、図７に示すように加減算テーブル３４においては加減量として「−４」が演算回路に出力される。従って、階調「２０」は演算回路３２によって補正を受け、階調「１６」（２０−４＝１６）としてバッファ回路３６を介してＸドライバに供給される。
　【００２４】このような原理によって、階調自体が必要な補正を受け、Ｘドライバに供給される。従って、図３に示したような色毎に均一ではない透過率／印加電圧特性が改善される。」
　
（キ）段落００２５
「【００２５】本願発明によって中間調表示の際の色毎の遷移を有効に防止した結果の透過率／印加電圧特性を図９に示す。この図では縦軸は透過率であり、横軸は階調レベルとなっているが、Ｒ／Ｇ／Ｂの全てについて、同一の階調レベルでは同一の透過率を実現している。従って、透過率／印加電圧特性の色毎の依存性の差異を有効に補正するという本願発明の課題を解決していることがわかる。」
　
（ク）段落００２６
「【００２６】なお、本実施例においてはＢに係わる階調データを減算することによって、Ｒ，Ｇに係わる階調データと整合させたが、逆に、Ｒ，Ｇに係わる階調データを加算することによって、Ｂに係わる階調データと整合を図ることによって本願発明の目的を達成できることも当業者であれば自明である。」
　
イ．刊行物１に記載された発明（引用発明）
（ア）刊行物１には、スイッチング素子として薄膜３端子トランジスタを用いたアクティブマトリクス方式の液晶ディスプレイ（すなわち、ＴＦＴ液晶ディスプレイ）であって、アレイ及びセルからなる液晶表示部分１と、供給された階調データに応じた電圧をセルに印加するＸドライバ３及びＸドライバ３に階調データを供給するデータ制御部１０を含む制御部とを備えた液晶ディスプレイが記載されている（上記ア．（イ））。
　
（イ）データ制御部１０には、外部からＲ、Ｇ及びＢの各階調データが供給される（上記ア．（イ）及び（オ））。データ制御部１０は、Ｂの階調データの階調に応じて加減量を調整するための条件を判定して出力する条件判定テーブル３３と、条件判定テーブル３３から出力された条件に応じて実際の加減量を設定する加減算テーブル３４と、設定された加減量をＢの階調データの階調から減算する演算回路３２とを備える。そして、データ制御部１０は、外部から供給されたＲ、Ｇ及びＢの各階調データのうち、Ｒ及びＧの各階調データはそのまま、Ｂの階調データは設定された加減量を階調から減算した後に、それぞれＸドライバ３に供給する（上記ア．（オ）及び（カ））。
　
（ウ）ところで、階調データの階調と印加電圧との関係は、どの色についても同じであるが、透過率と印加電圧との相関関係が色ごとに異なる。したがって、Ｒ、Ｇ及びＢの各階調データをそのままＸドライバ３に供給すると、各階調データの階調が同じであって、その結果、印加電圧が同じであっても、透過率が色ごとに異なってしまう。具体的には、Ｂの透過率がＲ及びＧの透過率より大きくなるため、本来は白色であるはずの画面が青みがかることになる（上記ア．（ウ））。
　そこで、条件判定テーブル３３が出力する条件及び加減算テーブル３４が出力する加減量は、階調と透過率との関係がＲ、Ｇ及びＢのどの色についても同じになるように決められている（上記ア．（エ）及び（キ））。
　
（エ）以上のことを踏まえて、上記ア．（ア）から（ク）までの記載と、図１から７まで及び９に示された事項とを総合すると、刊行物１には、以下の発明（以下、「引用発明」という。）が記載されている。
　
「アレイ及びセルからなる液晶表示部分１を備えたＴＦＴ液晶ディスプレイの制御部であって、
　Ｂの階調データの階調に応じて加減量を調整するための条件を判定して出力する条件判定テーブル３３と、条件判定テーブル３３から出力された条件に応じて実際の加減量を設定する加減算テーブル３４と、設定された加減量をＢの階調データの階調から減算する演算回路３２とを備え、外部から供給されるＲ、Ｇ及びＢの各階調データのうち、Ｒ及びＧの各階調データはそのまま、Ｂの階調データは設定された加減量を階調から減算した後に、それぞれＸドライバ３に供給するデータ制御部１０と、
　データ制御部１０から供給される階調データに応じた電圧をセルに印加するＸドライバ３とを備え、
　条件判定テーブル３３が出力する条件及び加減算テーブル３４が出力する加減量は、階調と透過率との関係がＲ、Ｇ及びＢのどの色についても同じになるように決められているＴＦＴ液晶ディスプレイの制御部。」
　
（２）刊行物２
　刊行物２の段落０００６から００１４までには、以下の記載がある。
　
「【０００６】
【発明の実施の形態】図１は本発明による液晶表示装置の第１実施例を示すブロック図であって、１、２、３は増幅器（ＡＭＰと記す）、４、５、６はクランプ回路（ＤＣと記す）、７、８、９はＡＤ変換器、１０、１１、１２はルックアップテーブル（ＬＵＴと記す）、１３、１４、１５はＤＡ変換器、１７は制御回路、１８はマイコン、１９は光源制御手段、２０は光源、２１は液晶表示デバイスである。同図において光源制御手段１９は供給電力量を可変するなどして光源２０の輝度出力を変えるもので、マイコン１８により制御される。また、ＬＵＴ１０、１１、１２もマイコン１８によりそのデータが書き換えられるようにしている。
　【０００７】以下、図１の動作を説明する。図において、端子２２、２３、２４に印加されたＲＧＢ（赤、緑、青）の映像信号はそれぞれＡＭＰ１、２、３に入力され、所望のレベルに増幅される。ＤＣ４、５、６では映像信号をクランプし、直流再生を行って映像信号の黒レベルを決めている。ＡＤ変換器７、８、９ではＲＧＢ信号をサンプリングしてディジタルデータに変換する。ＬＵＴ１０、１１、１２では液晶表示デバイス２１の表示特性をブラウン管の表示特性に変換するデータが収められている。すなわち、このＬＵＴ１０、１１、１２によって、端子２２、２３、２４から見た時の表示特性をブラウン管の特性に変換する。このＬＵＴ１０、１１、１２は例えばＳＲＡＭなどのメモリで構成できる。ＤＡ変換器１３、１４、１５は上記ＬＵＴ１０、１１、１２のディジタルデータをアナログ信号に変換し液晶表示デバイス２１を駆動する。…（略）…
　【０００８】…（略）…
　【０００９】ここで、図２を用いてＬＵＴ１０、１１、１２に収めるデータの内容について説明する。
　【００１０】図２はＬＵＴデータを作成するためのグラフであり、グラフ４０、４１は横軸に入力をディジタル値で示し、縦軸に輝度（ｃｄ／ｍ２）をしめしており、グラフ４２は入力及び出力をディジタル値で示している。同図において、グラフ４０は、光源２０の出力が高輝度状態の場合の液晶表示デバイス２１の入力対輝度特性である。また、この時の画面表示でのＲＧＢ色度点、すなわち色度図上でのＲＧＢの色度点を（ｘＲｈ、ｙＲｈ）、（ｘＧｈ、ｙＧｈ）、（ｘＢｈ、ｙＢｈ）とする。グラフ４１は、上記高輝度状態の表示特性を変換してブラウン管特性を模擬したもので、ガンマ値２．６、白色の色温度９３００°Ｋ＋２７ＭＰＣＤ（ｘ＝２８１、ｙ＝３．１１）となるようにしている。…（略）…
　【００１１】…（略）…
　【００１２】…（略）…
　【００１３】…（略）…
　【００１４】このグラフ４１において、Ｂ色の最小値はグラフ４０のＢ色の最小値に一致している。グラフ４１はＬＵＴ１０、１１、１２を介して液晶表示デバイス２１を見たときの入力対輝度の目標特性でもあり、ＬＵＴ１０、１１、１２のデータはグラフ４０の特性をグラフ４１のように変換することにある。ＬＵＴ１０、１１、１２のデータは次のようにして求める。グラフ４０とグラフ４１を図２のように並べておき、グラフ４０の入力をグラフ４２の出力に、グラフ４０の入力に対する各色の輝度と同じレベルの輝度を示すグラフ４１の入力レベルをグラフ４２の入力に対応させながらプロットしていくとグラフ４２のような特性ができあがる。これをＬＵＴ１０、１１、１２のデータ内容とする。グラフ４２の入力に対してグラフ４２の出力を液晶表示デバイス２１に供給するとグラフ４１に示すブラウン管の輝度特性を得ることができる。…（略）…」
　
　以上の記載から、刊行物２には、以下の技術事項が記載されている。
　
「メモリで構成したルックアップテーブルに収めたデータを用いて、液晶表示デバイスの入力対輝度の表示特性を、目標とする入力対輝度の表示特性に変換する。」
　
（３）刊行物３
　刊行物３の段落００２７には、以下の記載がある。
　
「【００２７】…（略）…補正は、例えば、ＮＴＳＣ方式の基準白色であるＣＩＥ標準光Ｃ（ｘ＝０．３１０１、ｙ＝０．３１６３、相関色温度６７７０［Ｋ］）の相関色温度を基準色温度とし、装置周辺光の相関色温度が基準色温度よりも高い（装置周辺光が基準白色よりも青っぽい）場合には、投写画像の相関色温度が低くなるように（投写画像が赤っぽくなるように）、映像信号Ｒ，Ｇ，Ｂのゲインを増減させる。逆に、装置周辺光の相関色温度が基準白色よりも低い（装置周辺光が基準白色よりも赤っぽい）場合には、投写画像の相関色温度が高くなるように（投写画像が青っぽくなるように）、映像信号Ｒ，Ｇ，Ｂのゲインを増減させる。なお、ここでは、ＣＩＥ標準光Ｃの相関色温度を基準色温度としているが、ハイビジョン方式に採用されているＣＩＥ標準光Ｄ６５（ｘ＝０．３１２７、ｙ＝０．３２９０、相関色温度６５００［Ｋ］）の相関色温度を用いても良い。」
　
３．対比
　本件補正発明と引用発明とを対比すると、以下のとおりである。
　
（１）引用発明の「アレイ及びセルからなる液晶表示部分１」は、「ＴＦＴ液晶ディスプレイ」の液晶表示を行う部分であり、その部分の構成は、当業者に周知であるとされている（上記２．（１）ア．（イ））。ＴＦＴ液晶ディスプレイの表示部がデータラインとゲートラインとの交差部に液晶画素を配置した液晶パネルであることは、例示するまでもなく当業者に周知であるから、引用発明の「アレイ及びセルからなる液晶表示部分１」は、本件補正発明の「データラインとゲートラインの交差部に液晶画素が配置される液晶パネル」に相当する。
　
（２）引用発明の「ＴＦＴ液晶ディスプレイ」及び「制御部」は、それぞれ本件補正発明の「液晶表示装置」及び「駆動装置」に相当する。また、引用発明の「制御部」は、「加減量を階調から減算」することで「Ｂの階調データ」を修正するから、本件補正発明の「ビデオデータ修正装置」にも相当する。
　
（３）引用発明の「外部から供給されるＲ、Ｇ及びＢの各階調データ」及び「階調」は、それぞれ本件補正発明の「入力される赤色、緑色及び青色のデジタルデータ」及び「グレーレベル値」に相当する。
　
（４）引用発明の「データ制御部１０」が、「Ｒ及びＧの階調データはそのまま」にする一方、「Ｂの階調データ」は「階調」に応じて設定した「加減量」を「Ｂの階調データ」の「階調から減算」して、「階調と透過率との関係がＲ、Ｇ及びＢのどの色についても同じになるように」しているのは、画面全体が青みがかってしまうのを防ぐためである（上記２．（１）イ．（ウ））。ここで、画面全体が青みがかるとは、色温度が高くなることであるから、引用発明の「データ制御部１０」の上記動作は、色温度が高くならないように修正するためのデータを取り出すことにほかならない。
　そうすると、引用発明において、「外部から供給されるＲ、Ｇ及びＢの各階調データのうち、Ｒ及びＧの各階調データはそのまま、Ｂの階調データは設定された加減量を階調から減算した後に、それぞれＸドライバ３に供給する」ことは、本件補正発明において、「入力される赤色、緑色及び青色のデジタルデータのグレーレベル値に対応する色温度修正のデータを取り出す」ことに相当する。そして、引用発明の「データ制御部１０」が供給する「Ｒの階調データ」、「Ｇの階調データ」及び「設定された加減量を階調から減算した」「Ｂの階調データ」は、本件補正発明の「入力される赤色、緑色及び青色のデジタルデータのグレーレベル値に対応する色温度修正のデータ」に相当する。
　したがって、引用発明の「データ制御部１０」と本件補正発明の「メモリ制御手段」とは、「入力される赤色、緑色及び青色のデジタルデータのグレーレベル値に対応する色温度修正のデータを取り出すデータ取り出し手段」である点で共通する。
　
（５）引用発明の「データ制御部１０から供給される階調データに応じた電圧をセルに印加するＸドライバ３」は、本件補正発明の「前記メモリ制御手段からの色温度の修正データを利用して前記データラインを駆動するためのデータ駆動手段」に相当する。
　
（６）以上のことをまとめると、本件補正発明と引用発明とは、
　
「データラインとゲートラインの交差部に液晶画素が配置される液晶パネルを具備する液晶表示装置の駆動装置において、
　入力される赤色、緑色及び青色のデジタルデータのグレーレベル値に対応する色温度修正のデータを取り出すデータ取り出し手段と、
　前記データ取り出し手段からの色温度の修正データを利用して前記データラインを駆動するためのデータ駆動手段とを具備する液晶表示装置のビデオデータ修正装置。」
　
である点で一致し、以下の点で相違する。
　
（相違点１）
　本件補正発明は、「入力される赤色、緑色及び青色のデジタルデータの色温度の特性を修正するための色温度の修正データが前記入力される赤色、緑色及び青色のデジタルデータのグレーレベル値に対応して設定されるルックアップテーブルが格納されたメモリ手段」を備えており、「データ取り出し手段」である「メモリ制御手段」は、「前記メモリ手段のルックアップテーブルをアクセスして」色温度修正のデータを取り出すのに対し、引用発明の「データ取り出し手段」である「データ制御部１０」は、「Ｂの階調データの階調に応じて加減量を調整するための条件を判定して出力する条件判定テーブル３３」、「条件判定テーブル３３から出力された条件に応じて実際の加減量を設定する加減算テーブル３４」及び「設定された加減量をＢの階調データの階調から減算する演算回路３２」を備えており、演算によって色温度修正のデータを取り出す点。
　
（相違点２）
　「色温度修正のデータ」が、本件補正発明では、「前記入力される赤色デジタルデータの色温度の修正データは前記入力される赤色データに比べて輝度値が増加して、前記入力される青色デジタルデータの色温度の修正データは前記入力される青色データに比べて輝度値が減少」するものであるのに対し、引用発明では、「Ｒ及びＧの各階調データはそのまま」であり、「Ｂの階調データは設定された加減量を階調から減算した」ものである点。
　
（相違点３）
　「色温度修正のデータ」が、本件補正発明では、「前記液晶表示装置の表示映像の色温度が凡そ６５００Ｋを維持するように入力映像を調整した後に測定されるデータである」のに対し、引用発明では、どのようなデータか特定されていない点。
　
４．相違点についての判断
（１）相違点１について
　刊行物１に記載されているように（上記２．（１）ア．（ウ）、（エ）及び（キ））、引用発明は、ＴＦＴ液晶ディスプレイにおいて、Ｒ、Ｇ及びＢの各階調データの階調が同じであっても、透過率が色ごとに異なってしまうという課題を解決し、Ｒ、Ｇ及びＢの各階調データの階調が同じであれば、透過率がどの色についても同じになるようにすることを目的としている。これは、具体的には、刊行物１の図９に示されているように、ＴＦＴ液晶ディスプレイの階調対透過率の特性を、赤、緑及び補正前の青で表されるものから、赤、緑及び補正後の青で表されるものに変換することを意味している。
　ところで、ＴＦＴ液晶ディスプレイは、通常その背後から照明されて画像を表示するから、透過率と表示された画像の輝度とが対応することは、明らかである。
　そうすると、引用発明と刊行物２に記載された技術事項とは、液晶表示デバイスの入力対輝度の表示特性を、目標とする入力対輝度の表示特性に変換する点で共通している。
　したがって、引用発明において、「Ｂの階調データの階調に応じて加減量を調整するための条件を判定して出力する条件判定テーブル３３」、「条件判定テーブル３３から出力された条件に応じて実際の加減量を設定する加減算テーブル３４」及び「設定された加減量をＢの階調データの階調から減算する演算回路３２」を備え、演算によって色温度修正のデータを取り出す「データ制御部１０」に代えて、メモリで構成したルックアップテーブルに色温度修正のデータを収めておき、そのメモリにアクセスして色温度修正のデータを取り出す手段を設けることは、刊行物２に記載された技術事項に基づき、当業者が容易に思い付くことである。
　
（２）相違点２について
　上記（１）で述べたとおり、引用発明の目的は、Ｒ、Ｇ及びＢの各階調データの階調が同じであれば、透過率がどの色についても同じになるようにすることであるから、Ｒ、Ｇ及びＢの各階調対透過率特性のうち、任意の一つを基準に選び、その階調対透過率特性に他の二つの階調対透過率特性を合わせればよいことは明らかである。実際、刊行物１には、加減量をＢの階調データの階調から減算することだけでなく、加減量をＲ及びＧの各階調データに加算することも記載されている（上記２．（１）ア．（ク））。前者は、Ｂの階調対透過率特性をＲ及びＧの各階調対透過率特性に合わせることを意味し、後者は、Ｒ及びＧの各階調対透過率特性をＢの階調対透過率特性に合わせることを意味すると認められる。
　したがって、Ｒ、Ｇ及びＢの各階調対透過率特性のうち、例えばＧの階調対透過率特性を基準に選び、Ｇの階調対透過率特性にＲ及びＢの各階調対透過率特性を合わせるようにすることは、当業者が適宜行い得る設計事項にすぎない。この場合、Ｒの階調データの階調には加減量を加算し（すなわち、輝度値を増し）、Ｂの階調データの階調からは加減量を減算する（すなわち、輝度値を減らす）結果になることは、刊行物１の図９から明らかである。
　
（３）相違点３について
　例えば刊行物３に記載されているように（上記２．（３））、６５００Ｋという値は、表示映像の色温度としては標準的なものであり、何ら特別なものではない。また、表示映像の色温度が６５００Ｋになるように入力映像を調整した後に測定されるデータを色温度修正のデータにするということは、要するに、必要な色温度修正のデータを試行錯誤によって求めるということであるから、当業者が適宜行い得る設計事項にすぎない。
　
５．請求人の主張について
（１）請求人は、審判請求書の３−３．において、次のように主張する。
　
「例えば、引用文献２（当審注：刊行物１）の演算回路３２においては、
　「［００１８］Ｂに係わる階調データＢ０〜Ｂ５が入力される部分３０について詳細な説明を加える。この部分によって、Ｂに係わる階調データの階調の補正がなされる。つまり、Ｂに係わる階調データはまず演算回路３２に供給される。演算回路３２においてはＲ，Ｇに係わる階調データとの比較に応じて、階調が例えば０乃至４レベル低くなるように減算される。このように階調自体を補正することによって、Ｒ，Ｇに係わる階調データによって実現される階調に係わる透過率と整合を行う。」とされ、
　「入力される赤色デジタルデータの色温度の修正データは入力される赤色データに比べて輝度値が増加して、入力される青色デジタルデータの色温度の修正データは入力される青色データに比べて輝度値が減少する」という本願発明とは具体的な構成が異なります。」
　
　請求人の主張は、要するに相違点２に関するものであり、これについては、上記４．（２）で述べたとおりである。
　請求人の主張は、採用することができない。
　
（２）請求人はまた、次のように主張する。
　
「さらには、本願発明は、「前記色温度の修正データは０〜５０までのグレーレベル範囲を除いた異なるグレーレベル値に対応する前記液晶表示装置の表示映像の色温度が凡そ６５００Ｋを維持するように入力映像を調整した後に測定されるデータである」という特徴を具備しています。」
　
　しかし、「０〜５０までのグレーレベル範囲を除いた異なるグレーレベル値に対応する」という事項は、本件補正後の請求項１に記載されていないから、請求人の主張は、そもそも本件補正発明に基づくものではない。
　上記の事項を除くと、請求人の主張は、要するに相違点３に関するものであり、これについては、上記４．（３）で述べたとおりである。
　請求人の主張は、採用することができない。
　
６．むすび
　以上のとおりであるから、本件補正発明は、刊行物１に記載された発明（引用発明）と、刊行物２及び３のそれぞれに記載された技術事項とに基づいて、当業者が容易に発明をすることができたものであり、特許法第２９条第２項の規定により特許出願の際独立して特許を受けることができない。
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第３　本願に係る発明についての判断
１．本願に係る発明
　本件補正は、上記のとおり却下されたので、本願の請求項１から７までのそれぞれに係る発明は、本件補正前の特許請求の範囲の請求項１から７までのそれぞれに記載された事項によって特定されるとおりのものである。特に、請求項１に係る発明（以下、「本願発明」という。）は、以下のとおりのものである。
　
「【請求項１】
　データラインとゲートラインの交差部に液晶画素が配置される液晶パネルを具備する液晶表示装置の駆動装置において、
　入力される赤色、緑色及び青色のデジタルデータの色温度の特性を修正するための色温度の修正データが前記入力される赤色、緑色及び青色のデジタルデータのグレーレベル値に対応して設定されるルックアップテーブルが格納されたメモリ手段と、
　前記入力される赤色、緑色及び青色のデジタルデータのグレーレベル値に対応する前記メモリ手段のルックアップテーブルをアクセスして前記入力される赤色、緑色及び青色のデジタルデータのグレーレベル値に対応する色温度修正のデータを取り出すためのメモリ制御手段と、
　前記メモリ制御手段からの色温度の修正データを利用して前記データラインを駆動するためのデータ駆動手段とを具備し、
　前記入力される赤色デジタルデータの色温度の修正データは前記入力される赤色データに比べて輝度値が増加して、前記入力される青色デジタルデータの色温度の修正データは前記入力される青色データに比べて輝度値が減少することを特徴とする液晶表示装置のビデオデータ修正装置。」
　
２．原査定の拒絶の理由
　本願発明に対する原査定の拒絶の理由は、概略以下のとおりである。
　
「本願発明は、その優先日前に日本国内又は外国において頒布された刊行物１及び２のそれぞれに記載された発明に基づいて、その優先日前にその発明の属する技術の分野における通常の知識を有する者が容易に発明をすることができたものであるから、特許法第２９条第２項の規定により特許を受けることができない。
　
　　刊行物１：特開平９−３１９３３４号公報（前掲）
　　刊行物２：特開平１１−２９６１２７号公報（前掲）」
　
３．刊行物に記載された事項
　刊行物１及び２のそれぞれに記載された事項は、上記「第２」２．（１）及び（２）に記載したとおりである。
　
４．対比・判断
　本願発明は、本件補正発明から、「色温度の修正データ」が「前記液晶表示装置の表示映像の色温度が凡そ６５００Ｋを維持するように入力映像を調整した後に測定されるデータ」であるという限定を省いたものである。
　本件補正発明と引用発明との対比において、上記の限定が相違点３をもたらしたことを踏まえて、本願発明と引用発明とを対比すると、両者は、上記「第２」３．（６）で述べた点で一致し、相違点１及び２で相違する。
　相違点１及び２については、上記「第２」４．（１）及び（２）で述べたとおりである。
　したがって、本願発明は、刊行物１に記載された発明（引用発明）と刊行物２に記載された技術事項とに基づいて、当業者が容易に発明をすることができたものである。
　
５．補正案について
　請求人は、回答書で補正案を提示しているので、念のため検討する。
　
　補正案の請求項１に係る発明は、「前記メモリに格納された色温度の修正データ以外の色温度の修正データは、線形の補間によって決定されて」いるという限定（以下、「限定１」という。）と、「前記色温度の修正データによって修正されたデータが表示される前記液晶表示装置の表示映像はその輝度とコントラスト比が前記入力映像の輝度とコントラストを維持するために、前記修正データの最小値である０と、最大値である２５５付近の値は修正されずに入力デジタルビデオデータの値と一致する」という限定（以下、「限定２」という。）とを、本願発明に追加したものである。
　
　まず、限定２について検討する。
　刊行物１（特に図６及び７）には、階調の最小値（０）付近の値（０〜３）及び最大値（６３）付近の値（６１〜６３）について、加減量を０にする（すなわち、階調の修正を行わない）ことが記載されている。したがって、この点を含めて刊行物１に記載された発明を認定することができる。
　この場合、補正案の請求項１に係る発明と刊行物１に記載された発明との対比において、限定２は、新たな相違点をもたらすものではない。
　
　次に、限定１について検討する。
　ルックアップテーブルに収められるデータが離散的なものであることは技術常識であるし、離散的なデータの間を線形補間で補うことは周知の技術である。そうすると、刊行物２に記載された技術事項を刊行物１に記載された発明に適用し、演算によって色温度修正のデータを取り出す「データ制御部１０」に代えて、メモリで構成したルックアップテーブルに色温度修正のデータを収めておき、そのメモリにアクセスして色温度修正のデータを取り出す手段を設ける際に、きめの細かい修正を可能にするために、取り出した色温度修正のデータを線形補間で補うようにすることは、当業者が適宜行い得る設計事項にすぎない。
　
　したがって、請求人が提示した補正案は、上記４．における判断を左右するものではない。
　
６．むすび
　以上のとおりであるから、本願発明は、刊行物１に記載された発明（引用発明）と刊行物２に記載された技術事項とに基づいて、当業者が容易に発明をすることができたものであり、特許法第２９条第２項の規定により特許を受けることができない。
　したがって、他の請求項に係る発明について審理するまでもなく、本願は拒絶をすべきものである。
　よって、結論のとおり審決する。